(57)【要約】【課題】顔料の分散性が良く、保存安定性が良好で、平滑紙及び非平滑紙（普通紙）に対する画像品質、特に、高画像濃度が実現でき、ノズルからの吐出安定性が良好なインクジェット用記録インク、並びに該インクジェット用記録インクを用いたカートリッジ、インクジェット記録装置、画像形成方法及び画像形成物を提供すること。【解決手段】顔料、水、水溶性溶剤、水分散性樹脂、及び下記一般式（１）で表されるα−オレフィンダイマーとカルボキシル基を有するモノマーとの共重合体を含有することを特徴とするインクジェット用記録インク。    ＣＨ２＝ＣＲ−ＣＨ２ＣＨ２−Ｒ    ・・・一般式（１）  ただし、前記一般式（１）中、ＲはＣｎＨ２ｎ＋１（ｎは４〜３０の整数）で表されるアルキル基である。【選択図】図１
2014051557.tif 000002
【特許請求の範囲】
【請求項１】
顔料、水、水溶性溶剤、水分散性樹脂、及び下記一般式（１）で表されるα−オレフィンダイマーとカルボキシル基を有するモノマーとの共重合体を含有することを特徴とするインクジェット用記録インク。
ＣＨ２＝ＣＲ−ＣＨ２ＣＨ２−Ｒ    ・・・一般式（１）
ただし、前記一般式（１）中、ＲはＣｎＨ２ｎ＋１（ｎは４〜３０の整数）で表されるアルキル基である。
【請求項２】
前記カルボキシ基を有するモノマーが、無水マレイン酸であることを特徴とする請求項１のインクジェット用記録インク。
【請求項３】
前記共重合体は、前記顔料１００重量部に対して０．５〜５００重量部含有され、
前記顔料は、当該インクジェット用記録インク中０．１〜２０質量％含有され、
前記水分散性樹脂は、当該インクジェット用記録インク中１〜１５質量％含有されることを特徴とする請求項１または２に記載のインクジェット用記録インク。
【請求項４】
請求項１乃至３のいずれかに記載のインクジェット用記録インクを容器中に収容したことを特徴とするカートリッジ。
【請求項５】
請求項４に記載のカートリッジを搭載したことを特徴とするインクジェット記録装置。
【請求項６】
請求項１乃至３のいずれかに記載のインクジェット用記録インクを吐出させるヘッドを備えたインクジェット記録装置を用いて、画像を形成することを特徴とする画像形成方法。
【請求項７】
請求項４に記載のインクジェット記録装置で印字されたことを特徴とする画像形成物。
【発明の詳細な説明】
【技術分野】
【０００１】
本発明は、インクジェット用記録インク、カートリッジ、インクジェット記録装置、画像形成方法及び前記インクジェット記録装置によって形成された画像形成物に関する。
【背景技術】
【０００２】
プリンタ、ファクシミリ、複写装置等の画像形成装置として、インクジェット記録装置が知られている。
このようなインクジェット記録装置は、記録ヘッド等の記録媒体にインクを吐出して記録を行うものである。インクジェット記録装置は、作像プロセスが単純なため装置が簡易化しやすく、加熱プロセスを経ないため省エネルギーで環境に優しく、高精細な画像を高速で記録することができ、ランニングコストが安く、騒音が少なく、しかも、多色のインクを使用してカラー画像を記録するのが容易である等の利点を有している。
【０００３】
このようなインクジェット記録に用いられるインクとしては、水を主成分とし、これに着色剤、グリセリン等の湿潤剤、記録紙への浸透性を制御する浸透剤、界面活性剤、その他の添加剤などを含有した水系インクが、家庭、オフィス用途として一般である。
前記水系インクを用いたインクジェット記録は、液体インクが記録紙（記録体）へ浸透することによって定着するため、吸収特性の向上、着色成分の紙面への定着機能、着色成分の保護機能を持つインクジェット専用紙が開発されている。
しかし、インクジェット専用紙は抄紙後の多段の塗布工程が経るためコストが高く、加工薬剤を多く使用しているため普通紙に比べてリサイクル性も劣っている。
そのため、普通紙上で充分な画質を得ることが望まれている。
【０００４】
普通紙は、インクジェット専用紙に比べてインク吸収性が劣り、専用紙のようにインク性能を補助しないため、下記（１）〜（９）等の問題点を有している。
（１）フェザリングの発生、（２）ブリーディングの発生、（３）濃度の低下、（４）発色性の低下、（５）耐水性の低下、（６）耐光性の低下、（７）耐ガス性の低下、（８）定着性の低下、（９）インクの裏抜けの発生
そこで、上記の問題点を解決することが普通紙に対するインクジェット記録にとって重要である。
【０００５】
近年、顔料の分散性の改良や粒径の微小化が行われ、インクジェットインクに顔料が使用されるケースが多くなってきている。
顔料の分散性の改良として、従来のように界面活性剤や水溶性樹脂を用いた顔料分散だけでなく、顔料表面の酸化処理、スルホン化処理、グラフト重合処理などの表面修飾によって親水性を付与することが行われ、顔料の自己分散安定性を向上させることが行われている。
【０００６】
このような顔料を用いることで、上記（５）、（６）、及び（７）を改善することができるが、顔料は染料に比べて濃度や発色性が劣っており、また、吐出安定性、長期保存性、再分散性などの信頼性の面でも染料インクより劣っている。
そのため、着色剤として顔料を用いる場合には、インクの濃度や発色性、信頼性を向上させることが問題となっている。
【０００７】
これらの問題に対処するため、着色されたポリマー粒子、特にポリエステル系又はビニル系ポリマー粒子のエマルジョンを用いたインクジェット記録用インクが多数報告されている（例えば、特許文献１参照）。
これらには着色剤を水に不溶で分散性の樹脂に内包した着色剤内包樹脂分散体を含有するインクが包含される。
また、着色剤としてカラー有機顔料を用いた場合、従来公知のインク処方では普通紙上での画像濃度、色再現性は水溶性分散剤を用いた顔料インクよりも優れることが知られている。
【０００８】
従来より、フェザリング、ブリーディングを低減させ、印字濃度、発色性を高め、裏抜けを抑制するために、インクの紙への浸透性を制御する技術が検討されている。
上市されているインクジェットインクはインクの表面張力を３５ｍＮ／ｍより低く調整し、紙への浸透性を高めた超浸透性インクがある。
このようなインクではブリーディングの低減に効果が高く、普通紙印字での乾燥性がよいが、フェザリングが起りやすく印字濃度が低く、文字品位が悪化しやすいという欠点がある。
逆にインクの表面張力を３５ｍＮ／ｍより高く調節し、紙への浸透を遅くすることでインクを印字面表層に留める緩浸透インクが上市されており、フェザリングの低下、印字濃度の向上、発色性の向上、裏抜けの低減に効果が高い。
しかし、紙への浸透性を落とした結果、普通紙に対する印字後の乾燥性が著しく悪くなり、定着性の悪化や、多色化した場合の色間のブリーディングを招いている。
【０００９】
そこで、緩浸透インクと超浸透インクを組合せたインクセットを用いることで色間のブリーディングを抑え、画像品位を確保する手法が開発され利用されている。
しかし、緩浸透インクを用いて両面印字を行う場合、印字後にインクの乾燥を待つ時間が必要となり両面印字の生産性悪化を招いている。
【００１０】
また、インクの乾燥性を高めるために、印字前後よりヒータにて紙面を加熱しインクの乾燥を速める装置を有する印字装置も提案されており、上市されている（例えば、特許文献２等参照）。
しかし、これらの提案では、加熱を行う部位を付与するため、装置が大型化、複雑化しており、また、加熱のためにエネルギーを浪費してしまうのでインクジェット記録方式の利点が失われてしまっている。
【００１１】
上記以外でもインクジェットインクは、信頼性向上と画質向上を兼ね備える方向の検討が行われている。
多くのインクジェットインクがヘッドのノズル詰まりを防ぐため、粘度の上昇を極力押さえる方向で設計されている。
【００１２】
例えば、特許文献３には、インクの２倍濃縮時の粘度変化を１０倍以内、かつ粒径変化を３倍以内にすることにより、顔料の凝集がインクの広がりを抑制することを防ぎ、白抜けを防止できるとしている。
しかし、このインクでは依然として普通紙上で高画質を形成することは困難であった。
【００１３】
また、特許文献４では、インク中の揮発成分が蒸発した後の残留分が液体であり、かつその粘度が初期粘度の１０倍以内であるインクが提案されている。
しかし、この提案のインクは、染料インクであり、信頼性は高いものの、やはり依然として普通紙での画質が劣るものであった。
【００１４】
また、特許文献５では、６０℃環境下で水分を蒸発させたときのインク粘度が、蒸発前の粘度の６００倍以下であるインクが提案されている。
しかし、この提案のインクも染料インクであり、水溶性高分子を添加することで、インクの信頼性と画像品質の耐久性とのバランスをとっているが、耐水性に問題が残る。
【００１５】
また、特許文献６には、インクにおいて高画質を確保するためには粘度が５〜１５ｍＰａ・ｓであることが必要であることが開示されている。
この提案では、信頼性確保のために初期の蒸発速度を調整し、かつ粘度を調整するための粘度調整剤として特定の化合物を添加するとよいと記載されており、顔料を用いたときの上記（３）及び（４）に対する１つの解決方法ともいえる。
しかし、この提案には、用いる顔料の粒径の安定性についてはなんら記載がなく、２４時間放置後の信頼性があるとしているが、更に長期放置した場合には吐出させるヘッドの構成とノズル径の大きさなどによっては信頼性に劣るインク処方となる。このため、高品位な印字品質と信頼性（吐出安定性、保存安定性）に対する近年の要求の高まりに対して充分とは言えず、更なる改善が求められる。
【００１６】
以上のように、高速で高品位な印字品質を確保するためには高粘度の高いインクを使用する必要があるが、粘度の高いインクは信頼性を確保することが難しいという問題がある。
【００１７】
また、画質改善を目的として、特許文献７及び特許文献８には、顔料インクに水不溶性樹脂を添加する手法が開示されている。
さらに、特許文献９では、顔料と樹脂エマルジョンの比が１：０．１〜１：１の範囲であり、かつ着色成分の平均粒径が０．３〜１．２μｍであるインクにより普通紙の高画質化を図る手法が示されている。
このように樹脂エマルジョンを添加したインクでは滲みは抑制されフェザリングの抑制が可能だが画像濃度としては不充分であり、インクジェットインクとしての信頼性は充分とはいえない。
【００１８】
また、特許文献１０には、水不溶性樹脂を添加したインクの最低造膜温度が４０℃以上とするインク、特許文献１１では、添加エマルジョンの粒径を５０ｎｍ以下とするインクなどの信頼性に対する改善策を開示している。しかしながら、これらの方策では未だ信頼性に改善の余地があり、得られる画質が充分とはいえない。
【００１９】
また、特許文献１２には、顔料、糖類又はその誘導体、水酸基を５個以上持つポリオール、樹脂エマルジョンを含むインクにより、印字むらの改善が開示されている。
しかし、このインクでは普通紙に対する浸透性が低く、色間でのフェザリングやブリーディングの発生、定着性の悪化、乾燥時間の遅さなどの問題点がある。
【００２０】
また、特許文献１３には、水分散性樹脂と自己分散顔料からなる固形分含有量が１．０〜１６質量％であるインクが開示されており、普通紙上での画質改善が述べられている。
この提案によれば、耐水性は染料より改善されるが、普通紙ではよく利用されるマーカーペンに対する画像保持性能は充分とはいえない。
【００２１】
また、顔料分散体と樹脂エマルジョンをインクに添加すると固形分が増加してインク粘度が増加するので、このことを利用することが検討されている。
例えば、特許文献１４及び特許文献１５には、ミセル会合体を形成する樹脂をインクに添加することで固形分を増やしても粘度上昇が少ないインク処方について提案されている。
しかし、これらの提案では、普通紙上での浸透性が不足しており、記録画質に問題がある。
紙に対する浸透性はＬｕｃａｓ−Ｗａｓｈｂｕｒｎ式で表される毛管吸収にて説明されるが、粘度が高いほど表面張力や、紙とインクとの接触角が低くしないと充分な浸透性が得られない。
【００２２】
また、特許文献１６及び特許文献１７には、高固形分のインクに対して多価アルコールアルキルエーテルを使用して浸透性を向上させることが提案されているが、固形分が増加して粘度が上昇すると充分な浸透性を得られず、画質が低下してしまうという問題がある。
【００２３】
また、シリコーン系界面活性剤及びフッ素系界面活性剤は微量でも浸透性を向上させることが知られており、その使用が検討されている。
例えば、特許文献１８及び特許文献１９には、フッ素系界面活性剤を添加したインクジェットインク、特許文献２０及び特許文献２１には、顔料分散体とフッ素系界面活性剤を含むインクがそれぞれ提案されている。
また、特許文献２２では、フッ素系界面活性剤とポリマー微粒子に水不溶性又は難溶性の色材を含有させてなるポリマーエマルジョンを含有する粘度５ｍＰａ・ｓ以上のインクにより画質改善が提案されている。
しかし、これらの提案では、インク中の顔料固形分が増加することにより色相が変化してしまうことが知られており、高濃度顔料では好ましい色相が得られにくく、また自己分散顔料では耐水性、定着性が充分とは言い難いという問題がある。  
【００２４】
また、特許文献２３では高分子分散安定剤が、α−オレフィン−無水マレイン酸共重合体を使用したインクが提案されているが、画像濃度、インク保存安定性、吐出安定性の面では未だ充分とはいえない。
【発明の概要】
【発明が解決しようとする課題】
【００２５】
本発明は、かかる現状に鑑みてなされたものであり、従来における前記諸問題を解決し、以下の目的を達成することを課題とする。
即ち、本発明は、顔料の分散性が良く、保存安定性が良好で、平滑紙及び非平滑紙（普通紙）に対する画像品質、特に、高画像濃度が実現でき、ノズルからの吐出安定性が良好なインクジェット用記録インク、並びに該インクジェット用記録インクを用いたカートリッジ、インクジェット記録装置、画像形成方法及び画像形成物を提供することを目的とする。
【課題を解決するための手段】
【００２６】
上記課題を解決するために本発明に係るインクジェット用記録インクは、顔料、水、水溶性溶剤、水分散性樹脂、及び下記一般式（１）で表されるα−オレフィンダイマーとカルボキシル基を有するモノマーとの共重合体を含有することを特徴とする。
【００２７】
ＣＨ２＝ＣＲ−ＣＨ２ＣＨ２−Ｒ    ・・・一般式（１）
【００２８】
ただし、前記一般式（１）中、ＲはＣｎＨ２ｎ＋１（ｎは４〜３０の整数）で表されるアルキル基である。
【発明の効果】
【００２９】
本発明によれば、顔料の分散性が良く、保存安定性が良好で、平滑紙及び非平滑紙（普通紙）に対する画像品質、特に、高画像濃度が実現でき、ノズルからの吐出安定性が良好となる。
【図面の簡単な説明】
【００３０】
【図１】本発明に係るインクジェット記録装置の一実施の形態における構成を示す概略外観図である。
【図２】本発明に係るインクジェット記録装置の一実施の形態における構成を示す概略断面図である。
【図３】本発明に係るインクカートリッジの一実施の形態における構成を示す概略断面図である。
【図４】図３に示すインクカートリッジがケースに収容された状態を示す概略断面図である。
【００３１】
本発明に係るインクジェット用記録インクは、顔料、水、水溶性溶剤、水分散性樹脂、及び下記一般式（１）で表されるα−オレフィンダイマーとカルボキシル基を有するモノマーとの共重合体を含有することを特徴とする。なお、以下においてインクジェット用記録インクは単にインクと称することもある。
【００３２】
ＣＨ２＝ＣＲ−ＣＨ２ＣＨ２−Ｒ    ・・・一般式（１）
【００３３】
ただし、前記一般式（１）中、ＲはＣｎＨ２ｎ＋１（ｎは４〜３０の整数）で表されるアルキル基である。
【００３４】
ここで、平滑紙、非平滑紙（普通紙）に関しては記録材の平滑度を測定し、その平滑度により、平滑紙、非平滑紙を分類するが、本発明は特にこの範囲に限定するものではない。
一般に非平滑紙は平滑度が５００（秒）未満で、表面コート等の処理を行なわない紙である。一方、平滑紙は表面コート処理をしたものが多く、平滑度は５００（秒）以上であり、アート紙、キャストコート紙等が挙げられる。
平滑度は、紙面に中空のヘッドを置き、内部を減圧にして、ヘッドと紙面の間隙から一定量の空気が流入する時間（秒）によって測定される値であり、測定は王研式計測器で測定する。
【００３５】
次に、本発明に係るインクジェット用記録インク、並びに該インクジェット用記録インクを用いたカートリッジ、インクジェット記録装置、画像形成方法及び画像形成物についてさらに詳細に説明する。
尚、以下に述べる実施の形態は、本発明の好適な実施の形態であるから技術的に好ましい種々の限定が付されているが、本発明の範囲は以下の説明において本発明を限定する旨の記載がない限り、これらの態様に限られるものではない。
【００３６】
［一般式（１）で表されるα−オレフィンダイマーとカルボキシル基を有するモノマーとの共重合体］
前記一般式（１）で表されるα−オレフィンダイマーとしては、Ｒ中のｎは４〜３０の整数であることが好ましく、より好ましくは６〜１０である。特に、１−デセンモノマー、１−ヘキセンモノマーが良い。
【００３７】
前記カルボキシル基を含有するモノマーとしては、例えば、アクリル酸、メタクリル酸、イタコン酸、マレイン酸、フマル酸、シトラコン酸、クロトン酸、シュウ酸、マロン酸、コハク酸、グルタル酸、ジメチルマロン酸、アジピン酸、ピメリン酸、α，α−ジメチルコハク酸、アセトンジカルボン酸、セバシン酸、１，９−ノナンジカルボン酸、フタル酸、イソフタル酸、テレフタル酸、２−ブチルテレフタル酸、テトラクロロテレフタル酸、アセチレンジカルボン酸、ポリ（エチレンテレフタレート）ジカルボン酸、１，２−シクロヘキサンジカルボン酸、１，４−シクロヘキサンジカルボン酸、ω−ポリ（エチレンオキシド）ジカルボン酸、ｐ−キシリレンジカルボン酸などを挙げることができる。
また、無水マレイン酸や無水コハク酸、無水フタル酸のように酸無水物の形で用いてもよい。
またカルボキシル基を有するモノマーとして、特に好ましくはカルボキシル基を２個有する無水マレイン酸モノマーが挙げられる。
【００３８】
またカルボキシル基は塩であることが好ましく、塩としては、例示すると、Ｌｉ，Ｎａ，Ｋ等のアルカリ金属塩、アンモニウムやモノ，ジ或いはトリメチルアミン、モノ，ジ或いはトリエチルアミン等、モノエタノールアミン、ジエタノールアミン、トリエタノールアミン、メチルエタノールアミン、メチルジエタノールアミン、ジメチルエタノールアミンコリン、アミノエタンプロパンジオール、モノプロパノールアミン、ジプロパノールアミン、トリプロパノールアミン、イソプロパノールアミン、トリスヒドロキシメチルアミノメタン、アミノエチルプロパンジオールの有機アミン塩、モノホリン、Ｎ−メチルモノホルリン、ｎ−メチル−２ピロリドン、２−ピロリドン等の環状アミン等の有機アミン塩が挙げられ、特にこれらに限定されないが、画像濃度効果の面でＬｉ塩、Ｎａ塩が好ましく、特にＮａ塩が最も好ましい。
これらはモノマー塩として使用しても良いし、各モノマーを重合した後、中和し化合物塩の状態にしてもよい。
【００３９】
一般式（１）で表されるα−オレフィンダイマーとカルボキシル基を有するモノマーとの共重合体の重合方法については、特に限定されず、公知の重合方法を使用することが可能である。
例えば、水を媒体にして前述のモノマーに必要に応じて、重合開始剤、連鎖移動剤を加え、常温から１００℃にて重合させるが、特にこれに限定されない。
モノマーについては、カルボキシル基を有するモノマー比が５０%〜７０%が好ましく、より好ましくは５０％〜６４％である。
また平均分子量で５００〜２００００（ＧＰＣ法、プルラン換算）の範囲のものが好ましく、インク粘度や顔料の吸着の面からより好ましくは１０００〜１００００である。
【００４０】
前記共重合体の配合量は、顔料種類により適宜選択する必要があるが、顔料１００重量部に対し、０．５〜５００重量部が好ましく、１〜２００重量部がより好ましく実用上問題のない均一な分散が得られるが、２〜５０重量部が特に好ましい。
０．５〜５００重量部の範囲であると、顔料の分散性が向上すると共にインクの経時安定性が向上する傾向にあり、１〜２００重量部の範囲であるとこれらがより向上する。特に２〜５０重量部の範囲では、インクの経時安定性が最も向上する。
また上記効果を損なわない範囲で、前記共重合体と分散剤（詳細は後述する）との併用も可能である。
【００４１】
［顔料］
本発明で使用される顔料として黒色顔料としては、カーボンブラックを好ましく用いることができる。
カーボンブラックとしては、例えば、ケッチェンブラック、ファーネスブラック、アセチレンブラック、サーマルブラック、ガスブラック等が挙げられる。また、カーボンブラック表面を酸化処理やアルカリ処理したものや、各種の界面活性剤や樹脂で被覆したカーボンブラックや、グラフト処理やカプセル化処理したカーボンブラックも使用可能である。
特にカーボンブラック表面を酸化処理した酸性を示す酸性カーボンを使用すると特に乾燥性が向上すると共に画像濃度の向上効果が大きい。
またスルホン酸基やカルボキシ基を有する樹脂でコーティングしたり、該記官能基をグラフト処理したりすることで付与させたカーボンブラックも使用可能である。
【００４２】
酸性カーボンを例示すると、ＭＡ７，ＭＡ８，ＭＡ１００，ＭＡ６００，＃４５，＃５０，＃２２００Ｂ、＃２３５０、＃２６５０，ＯＩＬ  ７Ｂ、ＯＩＬ  １１Ｂ（三菱化成製）、Ｒａｖｅｎ１０３５，Ｒａｖｅｎ  １０４０、Ｒａｖｅｎ  １０６０，Ｒａｖｅｎ１０８０，ＲＡＶＥＮ１２５５，Ｒａｖｅｎ  ３５００，ラーベンＣ（コロンビア製）、ＲＥＧＡＬ４００Ｒ、ＭＯＧＵＬ  Ｌ（キヤボツト製）、Ｃｏｌｏｒ  Ｂｌａｃｋ  ＦＷ１，Ｃｏｌｏｒ  Ｂｌａｃｋ  ＦＷ１８，  Ｃｏｌｏｒ  Ｂｌａｃｋ  Ｓ１５０，Ｃｏｌｏｒ  Ｂｌａｃｋ  Ｓ１６０，Ｃｏｌｏｒ  Ｂｌａｃｋ  Ｓ１７０，Ｐｒｉｎｔｅｘ  Ｕ，Ｐｒｉｎｔｅｘ  Ｖ，Ｐｒｉｎｔｅｘ７５，Ｐｒｉｎｔｅｘ  １４０Ｕ，Ｐｒｉｎｔｅｘ  １４０Ｖ，Ｓｐｅｃｉａｌ  Ｂｌａｃｋ４，Ｓｐｅｃｉａｌ  Ｂｌａｃｋ  １００，Ｓｐｅｃｉａｌ  Ｂｌａｃｋ  ２５０、Ｓｐｅｃｉａｌ  Ｂｌａｃｋ  ３５０，ＮＩＰＥＸ１５０，ＮＩＰＥＸ１８０ＩＱ（デグサ社製）等が挙げられる。
その中でもとりわけｐＨが５以下のカーボンブラックで揮発分が３．５質量％〜８．０質量％のカーボンブラックを用いることが好ましく、また乾燥性や画像濃度の面でガスブラックが望ましい。
【００４３】
マゼンタ顔料としては、ピグメントレッド５、ピグメントレッド７、ピグメントレッド１２、ピグメントレッド４８（Ｃａ）、ピグメントレッド４８（Ｍｎ）、ピグメントレッド５７（Ｃａ）、ピグメントレッド５７：１、ピグメントレッド１１２、ピグメントレッド１２２、ピグメントレッド１２３、ピグメントレッド１６８，ピグメントレッド１８４，ピグメントレッド２０２，ピグメントバイオレット１９等が挙げられる。
【００４４】
シアン顔料としては、ピグメントブルー１、ピグメントブルー２、ピグメントブルー３、ピグメントブルー１５、ピグメントブルー１５：３、ピグメントブルー１５：４、ピグメントブルー１６、ピグメントブルー２２、ピグメントブルー６０、バットブルー４、バットブルー６０等が挙げられる。
【００４５】
イエロー顔料としては、ピグメントイエロー１、ピグメントイエロー２、ピグメントイエロー３、ピグメントイエロー１２、ピグメントイエロー１３、ピグメントイエロー１４、ピグメントイエロー１６、ピグメントイエロー１７、ピグメントイエロー７３、ピグメントイエロー７４、ピグメントイエロー７５、ピグメントイエロー８３、ピグメントイエロー９３、ピグメントイエロー９５、ピグメントイエロー９７、ピグメントイエロー９８、ピグメントイエロー１１４、ピグメントイエロー１２０、ピグメントイエロー１２８、ピグメントイエロー１２９、ピグメントイエロー１３８、ピグメントイエロー１５０、ピグメントイエロー１５１、ピグメントイエロー１５４、ピグメントイエロー１５５、ピグメントイエロー１８０等が挙げられる。
【００４６】
なお、イエロー顔料としてピグメントイエロー７４、マゼンタ顔料としてピグメントレッド１２２、ピグメントバイオレット１９、シアン顔料としてピグメントブルー１５を用いることにより、色調、耐光性が優れ、バランスの取れたインクを得ることができるため好ましい。
【００４７】
インク中の顔料の濃度はインク全量に対して０．１〜２０質量％が好ましい。０．１質量％未満では画像濃度が低いため印字の鮮明さに欠け、２０質量％より多いとインクの粘度が高くなる傾向があるばかりでなく、ノズルの目詰まりが発生しやすくなる。
【００４８】
更に本発明で使用される顔料は、分散剤等の界面活性剤で分散させたり、樹脂で被覆したりグラフト処理やカプセル化処理したりした物を使用することも可能であるが、これらを用いずに前記共重合体を含有させることでも、該共重合体が有する分散能により顔料の所望の分散状態が得られる。また、本発明の効果を損なわない範囲で分散剤等の界面活性剤で分散させることや、樹脂で被覆したりグラフト処理やカプセル化処理した物を併用することも可能である。
なお、前記共重合体はカーボンブラックを使用した場合に画像濃度効果が最も顕著に現れる。
【００４９】
［水溶性溶剤］
本発明のインクは水を液媒体として使用するものであるが、インクの乾燥を防止する湿潤剤として、また、分散安定性の向上や、普通紙におけるカール防止の目的で下記の水溶性溶剤が使用される。これら水溶性溶剤は複数混合して使用してもよい。
【００５０】
水溶性溶剤の具体例としては、例えば以下のものが挙げられる。
グリセリン、エチレングリコール、ジエチレングリコール、イソプロピリデングリセロール、１，３−ブタンジオール、３−メチル−１，３−ブタンジオール、トリエチレングリコール、プロピレングリコール、ジプロピレングリコール、トリメチロールプロパン、トリメチロールエタン、エチレングリコール、ジエチレングリコール、ジプロピレングリコール、トリプロピレングリコール、テトラエチレングリコール、ヘキシレングリコール、ポリエチレングリコール、ポリプロピレングリコール、１，５−ペンタンジオール、１，６−ヘキサンジオール、グリセロール、１，２，６−ヘキサントリオール、１，２，４−ブタントリオール、１，２，３−ブタントリオール、ペトリオール等の多価アルコール類；
エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、テトラエチレングリコールモノメチルエーテル、プロピレングリコールモノエチルエーテル等の多価アルコールアルキルエーテル類；
エチレングリコールモノフェニルエーテル、エチレングリコールモノベンジルエーテル等の多価アルコールアリールエーテル類；
２−ピロリドン、Ｎ−メチル−２−ピロリドン、Ｎ−ヒドロキシエチル−２−ピロリドン、１，３−ジメチルイミイダゾリジノン、ε−カプロラクタム、γ−ブチロラクトン等の含窒素複素環化合物；
ホルムアミド、Ｎ−メチルホルムアミド、Ｎ，Ｎ−ジメチルホルムアミド、Ｎ，Ｎ−ジメチル−β−メトキシプロピオンアミド、Ｎ，Ｎ−ジメチル−β−ブトキシプロピオンアミド等のアミド類；
モノエタノールアミン、ジエタノールアミン、トリエタノールアミン、モノエチルアミン、ジエチルアミン、トリエチルアミン等のアミン類；
ジメチルスルホキシド、スルホラン、チオジエタノール等の含硫黄化合物類；
３−エチル−３−ヒドロキシメチルオキセタン、プロピレンカーボネート、炭酸エチレン等である。
【００５１】
これら有機溶媒の中でも、特に３−エチル−３−ヒドロキシメチルオキセタン、イソプロピリデングリセロール、Ｎ，Ｎ−ジメチル−β−メトキシプロピオンアミド、Ｎ，Ｎ−ジメチル−β−ブトキシプロピオンアミドが好ましい。これらは普通紙におけるカールを防止するために優れた効果を得ることができる。
【００５２】
また、１，３−ブタンジオール、ジエチレングリコール、２，２，４−トリメチル−１，３−ペンタンジオール、トリエチレングリコール及び／またはグリセリン等が水分蒸発による吐出不良を防止する上で優れた効果が得られる。
【００５３】
その他、糖を含有することができる。糖類の例としては、単糖類、二糖類、オリゴ糖類（三糖類および四糖類を含む）および多糖類があげられ、好ましくはグルコース、マンノース、フルクトース、リボース、キシロース、アラビノース、ガラクトース、マルトース、セロビオース、ラクトース、スクロース、トレハロース、マルトトリオースなどがあげられる。ここで、多糖類とは広義の糖を意味し、α−シクロデキストリン、セルロースなど自然界に広く存在する物質を含む意味に用いることとする。
また、これらの糖類の誘導体としては、前記した糖類の還元糖、酸化糖、アミノ酸、チオ酸などがあげられる。特に糖アルコールが好ましく、具体例としてはマルチトール、ソルビットなどがあげられる。
【００５４】
顔料と水溶性溶剤の比は、ヘッドからのインク吐出安定性に非常に影響がある。顔料固形分が高いのに水溶性溶剤の配合量が少ないとノズルのインクメニスカス付近の水分蒸発が進み吐出不良をもたらす。
水溶性溶剤の配合量はインク全体に対して、１０〜６０質量％が好ましく、より好ましくは２０〜５０質量％である。この範囲にあるインクは、乾燥性や吐出信頼性が非常に良好となる。
【００５５】
［水分散性樹脂］
水分散性樹脂は、造膜性（画像形成性）に優れ、かつ高撥水性、高耐水性、高耐候性を備えることで、高耐水性で高画像濃度（高発色性）の画像記録において有用な成分である。
前記水分散性樹脂の具体例としては、縮合系合成樹脂、付加系合成樹脂、天然高分子化合物などが挙げられる。
【００５６】
前記縮合系合成樹脂としては、例えば、ポリエステル樹脂、ポリウレタン樹脂、ポリエポキシ樹脂、ポリアミド樹脂、ポリエーテル樹脂、ポリ（メタ）アクリル樹脂、アクリル−シリコーン樹脂、フッ素系樹脂などが挙げられる。
前記付加系合成樹脂としては、例えば、ポリオレフィン樹脂、ポリスチレン系樹脂、ポリビニルアルコール系樹脂、ポリビニルエステル系樹脂、ポリアクリル酸系樹脂、不飽和カルボン酸系樹脂などが挙げられる。
前記天然高分子化合物としては、例えば、セルロース類、ロジン類、天然ゴムなどが挙げられる。
この中でも、特にポリウレタン樹脂微粒子、アクリル−シリコーン樹脂微粒子及びフッ素系樹脂微粒子が好ましい。
【００５７】
前記水分散性樹脂の平均粒子径（Ｄ５０）は、分散液の粘度と関係しており、組成が同じものでは粒径が小さくなるほど同一固形分での粘度が大きくなる。
インクが過剰な高粘度にならないためにも水分散性樹脂の平均粒子径（Ｄ５０）は５０ｎｍ以上であることが好ましい。
【００５８】
また、粒径が数十μｍになるとインクジェットヘッドのノズル口より大きくなるため使用できない。
ノズル口より小さくとも粒子径の大きな粒子がインク中に存在すると吐出安定性を悪化させる。
そこで、インク吐出安定性を阻害させないために平均粒子径（Ｄ５０）は２００ｎｍ以下がより好ましい。
【００５９】
また、前記水分散性樹脂は、前記水分散着色剤を紙面に定着させる働きを有し、常温で被膜化して色材の定着性を向上させることが好ましい。
そのため、前記水分散性樹脂の最低造膜温度（ＭＦＴ）は３０℃以下であることが好ましい。
また、前記水分散性樹脂のガラス転移温度が−４０℃以下になると樹脂皮膜の粘稠性が強くなり印字物にタックが生じるため、ガラス転移温度が−３０℃以上の水分散性樹脂であることが好ましい。
【００６０】
前記水分散性樹脂の前記インクジェット用インクにおける含有量は、固形分で１〜１５質量％が好ましく、２〜７質量％がより好ましい。
【００６１】
［その他の成分］
インクには必要に応じて、分散剤、界面活性剤、浸透剤、ｐＨ調整剤、防腐防黴剤、キレート試薬、防錆剤、酸化防止剤、紫外線吸収剤、酸素吸収剤、光安定化剤等の各種添加剤を配合することができる。
【００６２】
・分散剤
前述のとおり前記共重合体とは別に分散剤として、アニオン界面活性剤、カチオン界面活性剤、両性界面活性剤、ノニオン界面活性剤等の種々の界面活性剤や高分子型の分散剤を画像濃度効果を損なわない範囲で併用して使用することが可能である。
【００６３】
アニオン界面活性剤としては、例えば、アルキルスルホカルボン酸塩、α−オレフィンスルホン酸塩、ポリオキシエチレンアルキルエーテル酢酸塩、Ｎ−アシルアミノ酸及びその塩、Ｎ−アシルメチルタウリン塩、アルキル硫酸塩ポリオキシアルキルエーテル硫酸塩、アルキル硫酸塩ポリオキシエチレンアルキルエーテル燐酸塩、ロジン酸石鹸、ヒマシ油硫酸エステル塩、ラウリルアルコール硫酸エステル塩、アルキルフェノール型燐酸エステル、ナフタレンスルホン酸塩ホルマリン縮合物、アルキル型燐酸エステル、アルキルアリルスルホン塩酸、ジエチルスルホ琥珀酸塩及びジエチルヘキシルスルホ琥珀酸ジオクチルスルホ琥珀酸塩等が挙げられる。
【００６４】
カチオン界面活性剤としては、例えば、２−ビニルピリジン誘導体、ポリ−４−ビニルピリジン誘導体等が挙げられる。
【００６５】
両性界面活性剤としては、例えば、ラウリルジメチルアミノ酢酸ベタイン、２−アルキル−Ｎ−カルボキシメチル−Ｎ−ヒドロキシエチルイミダゾリニウムベタイン、ヤシ油脂肪酸アミドプロピルジメチルアミノ酢酸ベタイン、ポリオクチルポリアミノエチルグリシン及びその他イミダゾリン誘導体等が挙げられる。
【００６６】
ノニオン界面活性剤としては、次のようなものが挙げられる。
ポリオキシエチレンノニルフェニルエーテル、ポリオキシエチレンオクチルフェニルエーテル、ポリオキシエチレンドデシルフェニルエーテル、ポリオキシエチレンラウリルエーテル、ポリオキシエチレンオレイルエーテル、ポリオキシエチレンアルキルエーテル及びポリオキシアリルキルアルキルエーテル等のエーテル系；
ポリオキシエチレンオレイン酸、ポリオキシエチレンオレイン酸エステル、ポリオキシエチレンジステアリン酸エステル、ソルビタンラウレート、ソルビタンモノステアレート、ソルビタンモノオレエート、ソルビタンセスキオレート、ポリオキシエチレンモノオレエート及びポリオキシエチレンステアレート等のエステル系；
２，４，７，９−テトラメチル−５−デシン−４，７−ジオール、３，６−ジメチル−４−オクチン−３，６−ジオール及び３，５−ジメチル−１−ヘキシン−３−オール等のアセチレングリコール系；等
【００６７】
・界面活性剤
前記界面活性剤としては、顔料の種類や湿潤剤との組み合わせに応じて、分散安定性を損なわず、表面張力が低く、レベリング性の高いものを用いる。例えばフッ素系界面活性剤やシリコーン系界面活性剤が挙げられるが、フッ素系界面活性剤が好ましい。
【００６８】
フッ素系界面活性剤としては、フッ素が置換した炭素数が２〜１６のものが好ましく、４〜１６のものがより好ましい。フッ素置換炭素数が２未満では、フッ素の効果が得られないことがあり、１６を超えると、インク保存性などの問題が生じることがある。
フッ素系界面活性剤の例としては、パーフルオロアルキルスルホン酸化合物、パーフルオロアルキルカルボン酸化合物、パーフルオロアルキルリン酸エステル化合物、パーフルオロアルキルエチレンオキサイド付加物、パーフルオロアルキルエーテル基を側鎖に有するポリオキシアルキレンエーテルポリマー化合物、などが挙げられる。これらの中でも、パーフルオロアルキルエーテル基を側鎖に有するポリオキシアルキレンエーテルポリマー化合物は起泡性が少なく、特に好ましい。
【００６９】
パーフルオロアルキルスルホン酸化合物としては、例えば、パーフルオロアルキルスルホン酸、パーフルオロアルキルスルホン酸塩、などが挙げられる。
パーフルオロアルキルカルボン酸化合物としては、例えば、パーフルオロアルキルカルボン酸、パーフルオロアルキルカルボン酸塩、などが挙げられる。
パーフルオロアルキルリン酸エステル化合物としては、例えば、パーフルオロアルキルリン酸エステル、パーフルオロアルキルリン酸エステルの塩、などが挙げられる。
パーフルオロアルキルエーテル基を側鎖に有するポリオキシアルキレンエーテルポリマー化合物としては、パーフルオロアルキルエーテル基を側鎖に有するポリオキシアルキレンエーテルポリマー、パーフルオロアルキルエーテル基を側鎖に有するポリオキシアルキレンエーテルポリマーの硫酸エステル塩、パーフルオロアルキルエーテル基を側鎖に有するポリオキシアルキレンエーテルポリマーの塩、などが挙げられる。
【００７０】
これらフッ素系界面活性剤における塩の対イオンとしては、Ｌｉ、Ｎａ、Ｋ、ＮＨ４、ＮＨ３ＣＨ２ＣＨ２ＯＨ、ＮＨ２（ＣＨ２ＣＨ２ＯＨ）２、ＮＨ（ＣＨ２ＣＨ２ＯＨ）３などが挙げられる。
【００７１】
フッ素系界面活性剤としては、適宜合成したものを用いても、市販品を用いてもよい。市販品としては、例えばＤｕＰｏｎｔ社製のＦＳ−３００、ネオス社製のＦＴ−１１０、ＦＴ−２５０、ＦＴ−２５１、ＦＴ−４００Ｓ、ＦＴ−１５０、ＦＴ−４００ＳＷ、オムノバ社製のＰＦ−１５１Ｎなどが挙げられる。
【００７２】
シリコーン系界面活性剤としては、特に制限はなく、目的に応じて適宜選択することができ、高ｐＨでも分解しないものが好ましく、例えば、側鎖変性ポリジメチルシロキサン、両末端変性ポリジメチルシロキサン、片末端変性ポリジメチルシロキサン、側鎖両末端変性ポリジメチルシロキサンなどが挙げられ、変性基としてポリオキシエチレン基、ポリオキシエチレンポリオキシプロピレン基を有するものが水系界面活性剤として良好な性質を示すので特に好ましい。
シリコーン系界面活性剤としては、適宜合成したものを用いても市販品を用いてもよい。市販品としては、例えば、ビックケミー社、信越シリコーン社、東レ・ダウコーニング・シリコーン社などから容易に入手できる。
界面活性剤のインク中の含有量は、０．０１〜３．０質量％が好ましく、０．５〜２質量％がより好ましい。含有量が０．０１質量％未満では、界面活性剤を添加した効果が無くなることがあり、３．０質量％を超えると、記録媒体（記録材）への浸透性が必要以上に高くなり、画像濃度の低下や裏抜けが発生することがある。
【００７３】
・浸透剤
炭素数８〜１１のポリオール化合物及び炭素数８〜１１のグリコールエーテル化合物のいずれかを含有することが好ましい。
前記浸透剤は、前記水溶性溶剤と別のものであり、前記水溶性溶剤よりも湿潤性が比較的少ないので、非湿潤剤性ものということができるが、ここで、非湿潤剤性とはこのような意味である。これらは、２５℃の水中において０．２質量％〜５．０質量％の間の溶解度を有するものが好ましい。
【００７４】
これらの中でも、２−エチル−１，３−ヘキサンジオール［溶解度：４．２％（２５℃）］、２，２，４−トリメチル−１，３−ペンタンジオール［溶解度：２．０％（２５℃）］が特に好ましい。
【００７５】
その他のポリオール化合物として、脂肪族ジオールとしては、例えば、２−エチル−２−メチル−１，３−プロパンジオール、３，３−ジメチル−１，２−ブタンジオール、２，２−ジエチル−１，３−プロパンジオール、２−メチル−２−プロピル−１，３−プロパンジオール、２，４−ジメチル−２，４−ペンタンジオール、２，５−ジメチル−２，５−ヘキサンジオール、５−ヘキセン−１，２−ジオールなどが挙げられる。
【００７６】
その他の併用できる浸透剤としては、インク中に溶解し、所望の物性に調整できるものであれば特に制限はなく、目的に応じて適宜選択することができるが、例えば、ジエチレングリコールモノフェニルエーテル、エチレングリコールモノフェニルエーテル、エチレングリコールモノアリルエーテル、ジエチレングリコールモノフェニルエーテル、ジエチレングリコールモノブチルエーテル、プロピレングリコールモノブチルエーテル、テトラエチレングリコールクロロフェニルエーテル等の多価アルコールのアルキル及びアリールエーテル類、エタノール等の低級アルコール類、などが挙げられる。
【００７７】
前記浸透剤の前記インクジェット用インクにおける含有量は、０．１質量％〜４．０質量％が好ましい。前記含有量が、０．１質量％未満であると、速乾性が得られず滲んだ画像となることがあり、４．０質量％を超えると、着色剤の分散安定性が損なわれ、ノズルが目詰まりしやすくなったり、また記録用メディアへの浸透性が必要以上に高くなったりし、画像濃度の低下や裏抜けが発生することがある。
【００７８】
・ｐＨ調整剤
調合されるインクジェット用インクに悪影響を及ぼさずにｐＨを８．５〜１１、好ましくはｐＨを９〜１１に調整できるものであれば特に制限はなく、目的に応じて適宜選択することができるが、例えば、アルコールアミン類、アルカリ金属元素の水酸化物、アンモニウムの水酸化物、ホスホニウム水酸化物、アルカリ金属の炭酸塩、などが挙げられる。
【００７９】
前記ｐＨが８．５未満及び１１を超えるとインクジェットのヘッドやインク供給ユニットを溶かし出す量が大きく、インクの変質や漏洩、吐出不良などの不具合が生じることがある。８．５未満の時には、インク保管中にインクｐＨが低下して高分子微粒子が粒子径の増大により凝集することがある。
前記ｐＨは、例えばｐＨメータＨＭ−３０Ｒ（ＴＯＡ-ＤＫＫ社製）により測定することができる。
【００８０】
前記アルコールアミン類としては、例えば、ジエタノールアミン、トリエタノールアミン、２−アミノ−２−エチル−１，３プロパンジオール等が挙げられる。
前記アルカリ金属元素の水酸化物としては、例えば、水酸化リチウム、水酸化ナトリウム、水酸化カリウムなどが挙げられる。
前記アンモニウムの水酸化物としては、例えば、水酸化アンモニウム、第４級アンモニウム水酸化物、第４級ホスホニウム水酸化物などが挙げられる。
前記アルカリ金属の炭酸塩としては、例えば、炭酸リチウム、炭酸ナトリウム、炭酸カリウム等が挙げられる。
【００８１】
・防腐防黴剤
前記防腐防黴剤としては、例えば、デヒドロ酢酸ナトリウム、ソルビン酸ナトリウム、２−ピリジンチオール−１−オキサイドナトリウム、安息香酸ナトリウム、ペンタクロロフェノールナトリウム、等が挙げられる。
【００８２】
・キレート試薬
前記キレート試薬としては、例えば、エチレンジアミン四酢酸ナトリウム、ニトリロ三酢酸ナトリウム、ヒドロキシエチルエチレンジアミン三酢酸ナトリウム、ジエチレントリアミン五酢酸ナトリウム、ウラミル二酢酸ナトリウム等が挙げられる。
【００８３】
・防錆剤
前記防錆剤としては、例えば、酸性亜硫酸塩、チオ硫酸ナトリウム、チオジグリコール酸アンモン、ジイソプロピルアンモニウムニトライト、四硝酸ペンタエリスリトール、ジシクロヘキシルアンモニウムニトライト等が挙げられる。
【００８４】
・酸化防止剤
前記酸化防止剤としては、例えば、フェノール系酸化防止剤（ヒンダードフェノール系酸化防止剤を含む）、アミン系酸化防止剤、硫黄系酸化防止剤、りん系酸化防止剤、などが挙げられる。
【００８５】
フェノール系酸化防止剤（ヒンダードフェノール系酸化防止剤を含む）としては、例えば、ブチル化ヒドロキシアニソール、２，６−ジ−ｔｅｒｔ−ブチル−４−エチルフェノール、ステアリル−β−（３，５−ジ−ｔｅｒｔ−ブチル−４−ヒドロキシフェニル）プロピオネート、２，２′−メチレンビス（４−メチル−６−ｔｅｒｔ−ブチルフェノール）、２，２′−メチレンビス（４−エチル−６−ｔｅｒｔ−ブチルフェノール）、４，４′−ブチリデンビス（３−メチル−６−ｔｅｒｔ−ブチルフェノール）、３，９−ビス［１，１−ジメチル−２−［β−（３−ｔｅｒｔ−ブチル−４−ヒドロキシ−５−メチルフェニル）プロピオニルオキシ］エチル］−２，４，８，１０−テトライキサスピロ［５，５］ウンデカン、１，１，３−トリス（２−メチル−４−ヒドロキシ−５−ｔｅｒｔ−ブチルフェニル）ブタン、１，３，５−トリメチル−２，４，６−トリス（３，５−ジ−ｔｅｒｔ−ブチル−４−ヒドロキシベンジル）ベンゼン、テトラキス［メチレン−３−（３′，５′−ジ−ｔｅｒｔ−ブチル−４′−ヒドロキシフェニル）プロピオネート］メタン、などが挙げられる。
【００８６】
アミン系酸化防止剤としては、例えば、フェニル−β−ナフチルアミン、α−ナフチルアミン、Ｎ，Ｎ′−ジ−ｓｅｃ−ブチル−ｐ−フェニレンジアミン、フェノチアジン、Ｎ，Ｎ′−ジフェニル−ｐ−フェニレンジアミン、２，６−ジ−ｔｅｒｔ−ブチル−ｐ−クレゾール、２，６−ジ−ｔｅｒｔ−ブチルフェノール、２，４−ジメチル−６−ｔｅｒｔ−ブチル−フェノール、ブチルヒドロキシアニソール、２，２′−メチレンビス（４−メチル−６−ｔｅｒｔ−ブチルフェノール）、４，４′−ブチリデンビス（３−メチル−６−ｔｅｒｔ−ブチルフェノール）、４，４′−チオビス（３−メチル−６−ｔｅｒｔ−ブチルフェノール）、テトラキス［メチレン−３（３，５−ジ−ｔｅｒｔ−ブチル−４−ジヒドロキフェニル）プロピオネート］メタン、１，１，３−トリス（２−メチル−４−ヒドロキシ−５−ｔｅｒｔ−ブチルフェニル）ブタン、などが挙げられる。
【００８７】
硫黄系酸化防止剤としては、例えば、ジラウリル−３，３′−チオジプロピオネート、ジステアリルチオジプロピオネート、ラウリルステアリルチオジプロピオネート、ジミリスチル−３，３′−チオジプロピオネート、ジステアリル−β，β′−チオジプロピオネート、２−メルカプトベンゾイミダゾール、ジラウリルサルファイドなどが挙げられる。
【００８８】
前記リン系酸化防止剤としては、トリフェニルフォスファイト、オクタデシルフォスファイト、トリイソデシルフォスファイト、トリラウリルトリチオフォスファイト、トリノニルフェニルフォスファイトなどが挙げられる。
【００８９】
・紫外線吸収剤
前記紫外線吸収剤としては、例えば、ベンゾフェノン系紫外線吸収剤、ベンゾトリアゾール系紫外線吸収剤、サリチレート系紫外線吸収剤、シアノアクリレート系紫外線吸収剤、ニッケル錯塩系紫外線吸収剤などが挙げられる。
ベンゾフェノン系紫外線吸収剤としては、例えば、２−ヒドロキシ−４−ｎ−オクトキシベンゾフェノン、２−ヒドロキシ−４−ｎ−ドデシルオキシベンゾフェノン、２，４−ジヒドロキシベンゾフェノン、２−ヒドロキシ−４−メトキシベンゾフェノン、２，２′，４，４′−テトラヒドロキシベンゾフェノンなどが挙げられる。
ベンゾトリアゾール系紫外線吸収剤としては、例えば、２−（２′−ヒドロキシ−５′−ｔｅｒｔ−オクチルフェニル）ベンゾトリアゾール、２−（２′−ヒドロキシ−５′−メチルフェニル）ベンゾトリアゾール、２−（２′−ヒドロキシ−４′−オクトキシフェニル）ベンゾトリアゾール、２−（２′−ヒドロキシ−３′−ｔｅｒｔ−ブチル−５′−メチルフェニル）−５−クロロベンゾトリアゾールなどが挙げられる。
サリチレート系紫外線吸収剤としては、例えば、フェニルサリチレート、ｐ−ｔｅｒｔ−ブチルフェニルサリチレート、ｐ−オクチルフェニルサリチレートなどが挙げられる。
シアノアクリレート系紫外線吸収剤としては、例えば、エチル−２−シアノ−３，３′−ジフェニルアクリレート、メチル−２−シアノ−３−メチル−３−（ｐ−メトキシフェニル）アクリレート、ブチル−２−シアノ−３−メチル−３−（ｐ−メトキシフェニル）アクリレートなどが挙げられる。
ニッケル錯塩系紫外線吸収剤としては、例えば、ニッケルビス（オクチルフェニル）サルファイド、２，２′−チオビス（４−ｔｅｒｔ−オクチルフェレート）−ｎ−ブチルアミンニッケル（II）、２，２′−チオビス（４−ｔｅｒｔ−オクチルフェレート）−２−エチルヘキシルアミンニッケル（II）、２，２′−チオビス（４−ｔｅｒｔ−オクチルフェレート）トリエタノールアミンニッケル（II）などが挙げられる。
【００９０】
本発明におけるインクジェット用記録インクは、前記顔料、前記共重合体、水、必要に応じて各種添加剤をビーズミル、たとえば、ダイノーミルＫＤＬ型（株式会社シンマルエンタープライゼス製）、アジテーターミルＬＭＺ（アシザワ・ファインテック株式会社製）、ＳＣミル（三井鉱山株式会社製）等の分散機で分散し、さらにビーズミル分散の後ビーズレスミル、たとえば、高速せん断力タイプのＣＬＥＡＲ  ＳＳ５（エム・テクニック株式会社製）、キャビトロンＣＤ１０１０（株式会社ユーロテック製）、モジュールＤＲ２０００（株式会社シンマルエンタープライゼス製）、薄膜旋回タイプのＴ.Ｋ.フィルミックス（特殊機化工業株式会社製）、超高圧衝突タイプのアルテマイザー（株式会社スギノマシン製）、ナノマイザー（吉田機械興業株式会社製）、等により分散することにより得られる。この他、サンドミル、ボールミル、ロールミル、ナノマイザー、ホモジナイザー、超音波分散機等を用いて攪拌混合し、フィルター、遠心分離装置などで粗大粒子をろ過し、必要に応じて脱気することによって得ることもできる。
又、前記分散機の前工程においてホモジナイザー等で粗大粒子を前処理することにより、より一層粒度分布をシャープにすることが出来、画像濃度、吐出安定性等の改善に繋がる。
【００９１】
本発明で使用するビーズは通常セラミックビーズが好ましく、一般的にはジルコニアボールが使用される。ビーズ径は０．０５ｍｍφ以下がましく、さらに好ましくは０．０３ｍｍφ以下である。
【００９２】
−記録装置−
印字する方法としては連続噴射型やオンデマンド型があり、オンデマンド型としては、ピエゾ方式、サーマル方式、静電方式等が挙げられる。
以下において本発明の画像形成方法、及びそれを実施するインクジェット記録装置の一例について、図面を用いて説明する。
【００９３】
本発明のインクは、インクジェット記録方式による各種記録装置、例えば、インクジェット記録用プリンタ、ファクシミリ装置、複写装置、プリンタ／ファックス／コピア複合機などに好適に使用することができる。
以下、実施例でも用いたインクジェット記録装置について概要を説明する。
【００９４】
図１に示すインクジェット記録装置は、装置本体（１０１）と、装置本体（１０１）に装着した用紙を装填するための給紙トレイ（１０２）と、装置本体（１０１）に装着され画像が記録（形成）された用紙をストックするための排紙トレイ（１０３）と、インクカートリッジ装填部（１０４）とを有する。インクカートリッジ装填部（１０４）の上面には、操作キーや表示器などの操作部（１０５）が配置されている。インクカートリッジ装填部（１０４）は、インクカートリッジ（２００）の脱着を行うための開閉可能な前カバー（１１５）を有している。（１１１）は上カバー、（１１２）は前カバーの前面である。
【００９５】
装置本体（１０１）内には、図２に示すように、左右の側板（不図示）に横架したガイド部材であるガイドロッド（１３１）とステー（１３２）とで、キャリッジ（１３３）を主走査方向に摺動自在に保持し、主走査モータ（不図示）によって移動走査する。
キャリッジ（１３３）には、イエロー（Ｙ）、シアン（Ｃ）、マゼンタ（Ｍ）、ブラック（Ｂｋ）の各色のインク滴を吐出する４個のインクジェット記録用ヘッドからなる記録ヘッド（１３４）の複数のインク吐出口を、主走査方向と交叉する方向に配列し、インク滴吐出方向を下方に向けて装着している。
【００９６】
記録ヘッド（１３４）を構成するインクジェット記録用ヘッドとしては、圧電素子などの圧電アクチュエータ、発熱抵抗体などの電気熱変換素子を用いて液体の膜沸騰による相変化を利用するサーマルアクチュエータ、温度変化による金属相変化を用いる形状記憶合金アクチュエータ、静電力を用いる静電アクチュエータなどを、インクを吐出するためのエネルギー発生手段として備えたものなどが使用できる。
また、キャリッジ（１３３）には、記録ヘッド（１３４）に各色のインクを供給するための各色のサブタンク（１３５）を搭載している。サブタンク（１３５）には、インク供給チューブ（不図示）を介して、インクカートリッジ装填部（１０４）に装填された本発明のインクカートリッジ（２００）から、本発明のインクが供給されて補充される。
【００９７】
一方、給紙トレイ（１０２）の用紙積載部（圧板）（１４１）上に積載した用紙（１４２）を給紙するための給紙部として、用紙積載部（１４１）から用紙（１４２）を１枚ずつ分離給送する半月コロ〔給紙コロ（１４３）〕、及び給紙コロ（１４３）に対向し、摩擦係数の大きな材質からなる分離パッド（１４４）を備え、この分離パッド（１４４）は給紙コロ（１４３）側に付勢されている。
【００９８】
この給紙部から給紙された用紙（１４２）を記録ヘッド（１３４）の下方側で搬送するための搬送部として、用紙（１４２）を静電吸着して搬送するための搬送ベルト（１５１）と、給紙部からガイド（１４５）を介して送られる用紙（１４２）を搬送ベルト（１５１）との間で挟んで搬送するためのカウンタローラ（１５２）と、略鉛直上方に送られる用紙（１４２）を略９０°方向転換させて搬送ベルト（１５１）上に倣わせるための搬送ガイド（１５３）と、押さえ部材（１５４）で搬送ベルト（１５１）側に付勢された先端加圧コロ（１５５）とが備えられ、また、搬送ベルト（１５１）表面を帯電させるための帯電手段である帯電ローラ（１５６）が備えられている。
【００９９】
搬送ベルト（１５１）は無端状ベルトであり、搬送ローラ（１５７）とテンションローラ（１５８）との間に張架されて、ベルト搬送方向に周回可能である。この搬送ベルト（１５１）は、例えば、抵抗制御を行っていない厚さ４０μｍ程度の樹脂材、例えば、テトラフルオロエチレンとエチレンの共重合体（ＥＴＦＥ）で形成した用紙吸着面となる表層と、この表層と同材質でカーボンによる抵抗制御を行った裏層（中抵抗層、アース層）とを有している。搬送ベルト（１５１）の裏側には、記録ヘッド（１３４）による印写領域に対応してガイド部材（１６１）が配置されている。なお、記録ヘッド（１３４）で記録された用紙（１４２）を排紙するための排紙部として、搬送ベルト（１５１）から用紙（１４２）を分離するための分離爪（１７１）と、排紙ローラ（１７２）及び排紙コロ（１７３）とが備えられており、排紙ローラ（１７２）の下方に排紙トレイ（１０３）が配されている。
【０１００】
装置本体（１０１）の背面部には、両面給紙ユニット（１８１）が着脱自在に装着されている。両面給紙ユニット（１８１）は、搬送ベルト（１５１）の逆方向回転で戻される用紙（１４２）を取り込んで反転させて再度、カウンタローラ（１５２）と搬送ベルト（１５１）との間に給紙する。なお、両面給紙ユニット（１８１）の上面には手差し給紙部（１８２）が設けられている。
【０１０１】
このインクジェット記録装置においては、給紙部から用紙（１４２）が１枚ずつ分離給紙され、略鉛直上方に給紙された用紙（１４２）は、ガイド（１４５）で案内され、搬送ベルト（１５１）とカウンタローラ（１５２）との間に挟まれて搬送される。更に先端を搬送ガイド（１５３）で案内されて先端加圧コロ（１５５）で搬送ベルト（１５１）に押し付けられ、略９０°搬送方向を転換される。
【０１０２】
このとき、帯電ローラ（１５６）によって搬送ベルト（１５７）が帯電されており、用紙（１４２）は、搬送ベルト（１５１）に静電吸着されて搬送される。そこで、キャリッジ（１３３）を移動させながら画像信号に応じて記録ヘッド（１３４）を駆動することにより、停止している用紙（１４２）にインク滴を吐出して１行分を記録し、用紙（１４２）を所定量搬送後、次の行の記録を行う。記録終了信号又は用紙（１４２）の後端が記録領域に到達した信号を受けることにより、記録動作を終了して、用紙（１４２）を排紙トレイ（１０３）に排紙する。
【０１０３】
そして、サブタンク（１３５）内のインクの残量ニアーエンドが検知されると、インクカートリッジ（２００）から所要量のインクがサブタンク（１３５）に補給される。
【０１０４】
このインクジェット記録装置においては、インクカートリッジ（２００）中のインクを使い切ったときには、インクカートリッジ（２００）における筐体を分解して内部のインク袋だけを交換することができる。また、インクカートリッジ（２００）は、縦置きで前面装填構成としても、安定したインクの供給を行うことができる。したがって、装置本体（１０１）の上方が塞がって設置されているような場合、例えば、ラック内に収納したり、あるいは装置本体（１０１）の上面に物が置かれているような場合でも、インクカートリッジ（２００）の交換を容易に行うことができる。
【０１０５】
なお、ここでは、キャリッジが走査するシリアル型（シャトル型）インクジェット記録装置に適用した例で説明したが、ライン型ヘッドを備えたライン型インクジェット記録装置にも同様に適用することができる。
【０１０６】
−インクカートリッジ−
本発明のインクインクは、容器に収容してインクカートリッジとして用いることができ、更に必要に応じて適宜選択したその他の部材を付設してもよい。
容器としては、特に制限はなく、目的に応じてその形状、構造、大きさ、材質等を適宜選択することができ、例えば、アルミニウムラミネートフィルム、樹脂フィルム等で形成されたインク袋などを有するものなどが好適に挙げられる。
【０１０７】
上記インクカートリッジについて、図３及び図４を参照して説明する。ここで、図３は、本発明のインクカートリッジのインク袋２４１の一例を示す概略図であり、図４は図３のインク袋２４１をカートリッジケース２４４内に収容したインクカートリッジ２００を示す概略図である。
【０１０８】
図３に示すように、インク注入口２４２からインクをインク袋２４１内に充填し、該インク袋中に残った空気を排気した後、該インク注入口２４２を融着により閉じる。使用時には、ゴム部材からなるインク排出口２４３に装置本体の針を刺して装置に供給する。インク袋２４１は、透気性のないアルミニウムラミネートフィルム等の包装部材により形成する。そして、図４に示すように、通常、プラスチック製のカートリッジケース２４４内に収容し、インクカートリッジ２００として各種インクジェット記録装置に着脱可能に装着して用いる。
【０１０９】
本発明のインクカートリッジは、前述の本発明のインクジェット記録装置に着脱可能に装着して用いることが特に好ましい。
【実施例】
【０１１０】
以下、実施例及び比較例を示して本発明を更に具体的に説明するが、本発明はこれらの実施例により限定されるものではない。
なお、実施例及び比較例では、顔料分散体を作成し、これを用いてインクを作成した。ここで、例中の「部」及び「％」は重量基準である。
【０１１１】
α−オレフィンダイマーとカルボキシル基を有するモノマーとの共重合体の実施例を以下に示す。
【０１１２】
＜調整例１＞
三つ口のフラスコに１−デセン１リットルを投入し、窒素バブリングにて充分脱水した後、メチルアルモキサン１０ミリモルとジシクロペンタジエニルジルコニウムジクリド（二塩化ビス（シクロペンタジエニル）ジルコニウム）２９２ｍｇ（１ミリモル）とを事前混合した触媒を加えた。
室温で２４時間撹拌した後、少量のメタノールにて失活処理を行い、蒸留にて目的物である１−デセンダイマーを単離した。
次に１リットルの三つ口フラスコに、上記１−デセンダイマー３４７ｍｌを入れ、約１６０℃まで昇温した。
これに加熱溶融した無水マレイン酸９８ｇ、及び過酸化ジ−ｔ−ブチル（ジ−ｔ−ブチルパーオキシド）７．４ｍｌを１時間かけて滴下した。
さらに１時間加熱撹拌後、その後４時間反応させた後、冷却し中和アルカリとしてＮａＯＨを使用し中和し蒸留水を加え固形分を２０％に調整することで１−デセンダイマーと無水マレイン酸の共重合体（２０％水溶液）を得た。 
【０１１３】
＜調整例２＞
調整例１において、１−デセンを１−ヘキセンに変更した以外は、調整例１と同じ条件で実施し、１−ヘキセンダイマーを得た。
次に、調整例１と同様にして１−ヘキセンダイマーと無水マレイン酸の共重合体（２０％水溶液）を得た。
【０１１４】
＜実施例１＞
次に下記処方により実施例１の顔料分散体（Ａ）を得た。
＜実施例１の顔料分散体（Ａ）の作成＞
下記処方の材料をプレミックスした後、ディスクタイプのビーズミル（シンマルエンタープライゼス社製ＫＤＬ型バッチ式）により、０．０５ｍｍジルコニアビーズを用いて周速１０ｍ／ｓ、液温１０℃で５分間分散した。次いで、遠心分離機（久保田商事社製Ｍｏｄｅｌ−３６００）により粗大粒子を分離し、平均粒子径約１２２ｎｍ、標準偏差５０.２ｎｍの顔料分散体（Ａ）を得た。
【０１１５】
（実施例１の顔料分散体Ａの作成）
・カーボンブラック（ｄｅｇｕｓｓａ社製：ガスブラック、ＮＩＰＥＸ１５０）  ２０部
・１−デセンダイマー−無水マレイン酸共重合体（２０％水溶液）              ２５部
・蒸留水                                                                  ６５部
【０１１６】
＜実施例２＞
実施例１において、１−デセンダイマーを調整例２で製造した１−ヘキセンダイマー１６８ｇに変更した以外は、実施例１と同じ条件で行ない、１−ヘキセンダイマー−無水マレイン酸の共重合体を得た。
次に実施例１の１−デセンダイマー−無水マレイン酸共重合体（２０％水溶液）を１−へキセンダイマー−無水マレイン酸共重合体（２０％水溶液）に変える以外は同様にして実施例２の分散体（Ｂ）を得た。
【０１１７】
＜実施例３＞
調整例１の無水マレイン酸をアクリル酸に変える以外同様にして１−デセンダイマーとアクリル酸の共重合体を得た。
次に実施例１の１−デセンダイマー−無水マレイン酸共重合体（２０％水溶液）を１−デセンダイマーとアクリル酸（２０％水溶液）に変える以外は同様にして実施例３の分散体（Ｃ）を得た。
【０１１８】
＜実施例４＞
調整例２の無水マレイン酸をアクリル酸に変える以外同様にして１−ヘキセンダイマーとアクリル酸の共重合体を得た。
次に実施例１の１−デセンダイマー−無水マレイン酸共重合体（２０％水溶液）を１−ヘキセンダイマーとアクリル酸（２０％水溶液）に変える以外は同様にして実施例４の分散体（Ｄ）を得た。
【０１１９】
＜比較例１＞
実施例１の分散体の１−デセンダイマー−無水マレイン酸共重合体（２０％水溶液）をα−オレフィン−無水マレイン酸共重合体（星光ＰＭＣ社製、Ｔ−ＹＰ１１２、オレフィン鎖：炭素数２０〜２４） に変える以外同様にして比較例１の分散体（Ｅ）を得た。
【０１２０】
＜比較例２＞
比較例１のα−オレフィン−無水マレイン酸共重合体（星光ＰＭＣ社製、Ｔ−ＹＰ１１２、オレフィン鎖：炭素数１６〜１８）をα−オレフィン−無水マレイン酸共重合体（星光ＰＭＣ社製、Ｔ−ＹＰ１１５、オレフィン鎖：炭素数１６〜１８）に変える以外同様にして比較例1の分散体（Ｆ）を得た。
【０１２１】
＜比較例３＞
比較例１のα−オレフィン−無水マレイン酸共重合体（星光ＰＭＣ社製、Ｔ−ＹＰ１１２、オレフィン鎖：炭素数１６〜１８）をα−オレフィン−無水マレイン酸共重合体（星光ＰＭＣ社製、Ｔ−ＹＰ１１４、オレフィン鎖：炭素数１２〜１４）に変える以外同様にして比較例1の分散体（Ｇ）を得た。
【０１２２】
＜実施例１のインク（１）の作成＞
下記処方の材料を３０分間混合攪拌し、インク１を作成した。
【０１２３】
（実施例１のインク処方）
・実施例１の顔料分散体（Ａ）（顔料濃度２０％）                      ４０．０部
・グリセリン                                                          ５．５部
・１，３−ブタンジオール                                            １６．５部
・２−エチル−１，３−ヘキサンジオール                                ２．０部
・フッ素系界面活性剤（固形分４０％）                                  ２．５部
（ＤｕＰｏｎｔ社製：Ｚｏｎｙｌ  ＦＳ−３００）
・フルオロエチレン／ビニルエーテル交互共重合体（固形分５０％）        ６．０部
（旭硝子社製：ルミフロンＦＥ４３００、平均粒子径１５０ｎｍ、
ＭＦＴ３０℃以下）
・２−アミノ−２−エチル−１，３−プロパンジオール水溶液              １．５部
(固形分４０％)
・蒸留水                                                            ２６．０部
【０１２４】
＜実施例２〜４のインク（２）〜（４）の作成＞
実施例１のインク（１）の顔料分散体（Ａ）を顔料分散体（Ｂ）、（Ｃ）、（Ｄ）にする以外は同様にして実施例２〜４のインク（２）〜（４）を得た。
【０１２５】
＜実施例５の顔料分散体Ａ１の作成＞
・カーボンブラック（ｄｅｇｕｓｓａ社製：ガスブラック、ＮＩＰＥＸ１５０）  ２０部
・１−デセンダイマー−無水マレイン酸共重合体（２０％水溶液）              １２部
・蒸留水                                                                  ６５部
【０１２６】
＜実施例６の顔料分散体Ｂ２の作成＞
次に実施例５の１−デセンダイマー−無水マレイン酸共重合体（２０％水溶液）を１−へキセンダイマー−無水マレイン酸共重合体（２０％水溶液）に変える以外は同様にして実施例６の分散体（Ｂ２）を得た。
【０１２７】
＜実施例７の顔料分散体Ｃ２の作成＞
次に実施例５の１−デセンダイマー−無水マレイン酸共重合体（２０％水溶液）を１−デセンダイマーとアクリル酸（２０％水溶液）に変える以外は同様にして実施例７の分散体（Ｃ２）を得た。
【０１２８】
＜実施例８の顔料分散体Ｄ２の作成＞
次に実施例５の１−デセンダイマー−無水マレイン酸共重合体（２０％水溶液）を１−ヘキセンダイマーとアクリル酸（２０％水溶液）に変える以外は同様にして実施例８の分散体（Ｄ２）を得た。
【０１２９】
＜実施例５のインク（８）の作成＞
下記処方の材料を３０分間混合攪拌し、インク８を作成した。
【０１３０】
（実施例５のインク処方）
・実施例５の顔料分散体（Ａ２）（顔料濃度２０％）                    ４０．０部
・グリセリン                                                          ５．５部
・１，３−ブタンジオール                                            １６．５部
・２−エチル−１，３−ヘキサンジオール                                ２．０部
・フッ素系界面活性剤（固形分４０％）                                  ２．５部
（ＤｕＰｏｎｔ社製：Ｚｏｎｙｌ  ＦＳ−３００）
・フルオロエチレン／ビニルエーテル交互共重合体（固形分５０％）        ６．０部
（旭硝子社製：ルミフロンＦＥ４３００、平均粒子径１５０ｎｍ、
ＭＦＴ３０℃以下）
・２−アミノ−２−エチル−１，３−プロパンジオール水溶液              １．５部
(固形分４０％)
・蒸留水                                                            ２６．０部
【０１３１】
＜実施例６〜８のインク（９）〜（１１）の作成＞
実施例５のインク（８）の顔料分散体（Ａ２）を顔料分散体（Ｂ２）、（Ｃ２）、（Ｄ２）にする以外は同様にして実施例６〜８のインク（９）〜（１１）を得た。
【０１３２】
＜比較例１〜３＞
実施例１のインク（１）の顔料分散体（Ａ）を顔料分散体（Ｅ）、（Ｆ）、（Ｇ）にする以外は同様にして比較例１〜３のインク（５）〜（７）を得た。
【０１３３】
上記実施例及び比較例のインク及を下記方法にて保存安定性を評価し、更に図１記載のインクジェットプリンターに装着して印字実験を行ない、下記のようにして画像濃度と保存安定性を評価した。結果を表１に示す。
【０１３４】
（１）画像濃度
ゼロックス社製ＰＰＣ用紙４０２４（非平滑紙）に図１のインクジェットプリンターで印字し画像サンプルのベタ画像の測色をＸｒｉｔｅ９３８濃度計にて測定を行う。
◎：１．３１〜１．４０
○：１．２１〜１．３０
△：１．１１〜１．２０
×：１．０１〜１．１０
【０１３５】
（２）インク保存性
インク液の初期粘度を測定した後、インク液５０ｇを日電理化社性サンプル瓶ＳＶ−５０に密閉し７０℃環境下２週間保管し、下記式に従い変化率を計算しランク分けを行った。なお、粘度計は東洋精機  ＲＥ５００を用いた。
【０１３６】
変化率（％）＝（６０℃環境下２週間後の粘度−初期粘度）／初期粘度×１００
◎：変化率が１０％未満  （良好）
○：変化率が１０〜１５％  （実用上問題ないレベル）
△：変化率が１５〜２０％  （問題あるレベル）
×：変化率が２０％以上  （問題あるレベル）
【０１３７】
（３）吐出安定性
吐出安定性については、印刷物を印刷した後、プリンタヘッドにキャップした状態でプリンタを５０℃の環境下で１ヶ月放置した。放置後のプリンタの吐出状態が初期の吐出状態に回復するか否かを下記のクリーニング動作回数によって評価した。
◎：クリーニング無しで印刷できた。
○：１回の動作により回復した。
△：２回〜３回の動作により回復した。
×：３回以上の動作によっても回復がみられなかった
【０１３８】
【表１】
2014051557.tif 000003
【０１３９】
以上の実施例および比較例から明らかなように、本発明によれば画像濃度、保存安定性及び吐出安定性に優れる。また、特に画像濃度に関しては実施例１，２及び実施例５，６（無水マレイン酸がモノマーとして重合体を構成する例）が優れることがわかった。
本発明は、顔料の分散性が良く、インクジェット用記録インクに使用した場合保存安定性が良好で、平滑紙及び普通紙に対する画像品質、特に、高画像濃度が実現でき、ノズルからの吐出安定性が良好なインクジェット用記録インク、並びに該インクジェット用記録インクを用いたカートリッジ、インクジェット記録装置、画像形成方法及び画像形成物を提供することができる。
なお、本発明のインクジェット用記録インクは、普通紙に対する画像品質、特に、高画像濃度で画像のニジミもなく、インクの保存安定性にも優れ、ノズルからの吐出安定性が良好であり、高品位な画像形成が可能であり、インクカートリッジ、画像形成物（インク記録物）、インクジェット記録装置及び画像形成方法（インクジェット記録方法）に好適に用いることができる。
本発明のインクジェット記録装置及び画像形成方法は、インクジェット記録方式による各種記録に適用することができ、例えば、インクジェット記録用プリンタ、ファクシミリ装置、複写装置、プリンタ／ファックス／コピア複合機、などに特に好適に適用することができる。
【符号の説明】
【０１４０】
１０１  装置本体
１０２  給紙トレイ
１０３  排紙トレイ
１０４  インクカートリッジ装填部
１０５  操作部
１１１  上カバー
１１２  前カバーの前面
１１５  前カバー
１３１  ガイドロッド
１３２  ステー
１３３  キャリッジ
１３４  記録ヘッド
１３５  サブタンク
１４１  用紙載置部
１４２  用紙
１４３  給紙コロ
１４４  分離パッド
１４５  ガイド
１５１  搬送ベルト
１５２  カウンタローラ
１５３  搬送ガイド
１５４  押さえ部材
１５５  加圧コロ
１５６  帯電ローラ
１５７  搬送ローラ
１５８  テンションローラ
１６１  ガイド部材
１７１  分離爪
１７２  排紙ローラ
１７３  排紙コロ
１８１  両面給紙ユニット
１８２  手差し給紙部
２００  インクカートリッジ
２４１  インク袋
２４２  インク注入口
２４３  インク排出口
２４４  カートリッジケース
【先行技術文献】
【特許文献】
【０１４１】
【特許文献１】特開２０００−１９１９７２号公報
【特許文献２】特開昭５５−６９４６４号公報
【特許文献３】特開２００２−３３７４４９号公報
【特許文献４】特開２０００−０９５９８３号公報
【特許文献５】特開平９−１１１１６６号公報
【特許文献６】特開２００１−２６２０２５号公報
【特許文献７】特開昭５５−１５７６６８号公報
【特許文献８】特公昭６２−１４２６号公報
【特許文献９】特開平４−３３２７７４号公報
【特許文献１０】特許第２８６７４９１号公報
【特許文献１１】特開平４−１８４６２号公報
【特許文献１２】特許第３０８８５８８号公報
【特許文献１３】特開２００４−３５７１８号公報
【特許文献１４】特開２００４−９９８００号公報
【特許文献１５】特許第３０８８５８８号公報
【特許文献１６】特開２００４−１５５８６７号公報
【特許文献１７】特開２００４−２０３９０３号公報
【特許文献１８】特許第２６７５００１号公報
【特許文献１９】特許第２６６７４０１号公報
【特許文献２０】特開平４−２１１４７８号公報
【特許文献２１】特開２００３−２７７６５８号公報
【特許文献２２】特開２００３−２２６８２７号公報
【特許文献２３】特開２００３−２２６８２７号公報
【図１】
2014051557.tif 000004
【図２】
2014051557.tif 000005
【図３】
2014051557.tif 000006
【図４】
2014051557.tif 000007